(57)【要約】【課題】印刷物を取出し易く、ケース可変部の形態変化で、自立スタンドケース、吊下げケース、キャリングケースとして使用でき、設置環境に応じて配置でき、印刷物が目立つような所望の位置に簡単に設置でき、持ち歩け、使い勝手に優れ、構成簡素で、組立て容易で、量産に適し、低廉で、経済的なパンフレット類用収容ケースを提供する。【解決手段】正面板１と左右側板２、３と底板６と背面下板７とでケース基部Ａを形成し、背面上板８と天板１１と蓋板１２とでケース可変部Ｂを形成し、背面上板８でケース基部Ａの背面上部を覆い、天板１１でケース基部Ａ上端開口を覆い、蓋板１２で正面板１の切欠溝部１５を覆え、或いは背面上板８を斜後方下向きに配し、天板１１及び蓋板１２を水平に配せ、或いは背面上板８でケース基部Ａの背面上部を覆い、蓋板１２を折返して天板１１及び背面上板８に重合させ、挿通孔２８、２７を重ねられるよう構成する。【選択図】図２
0003130881.tif 000002
【実用新案登録請求の範囲】
【請求項１】
パンフレットやチラシ等の印刷物を複数収容できると共に、自立スタンドケースとして或いは吊下げケースとして或いはキャリングケースとして使用可能なパンフレット類用収容ケースであって、上辺部中央に切欠溝部が切設されている正面板と、この正面板の左右側端縁に折目線を介して夫々連設される左右側板と、正面板の下端縁に折目線を介して連設される底板と、この底板の後端縁に折目線を介して連設される背面下板とで印刷物を収容可能な上部が開放された略扁平ボックス状のケース基部を形成し、背面下板の上端縁に折目線を介して連設される背面上板と、背面上板の上端縁に折目線を介して連設される天板と、天板の前端縁に折目線を介して連設される蓋板とでケース可変部を形成し、蓋板の下部には、正面板の上部に設けた係止孔及び底板に設けた係止孔に夫々差込み・係止自在となるような差込片を設け、天板及び蓋板には、吊下げ用の挿通孔を夫々穿設し、背面上板でケース基部の背面上部を覆うと共に、天板でケース基部上端開口を覆い、蓋板で正面板の切欠溝部を覆って、蓋板の差込片を正面板の係止孔に差込み・係止するようケース可変部を形態変化せしめたときはキャリングケースとなり、背面上板を斜後方下向きに配すると共に、天板及び蓋板を水平に配して、蓋板の差込片を底板の係止孔に差込み・係止するようケース可変部を形態変化せしめたときは自立スタンドケースとなり、背面上板でケース基部の背面上部を覆い、蓋板を折目線で折返して天板及び背面上板に重合せしめると共に蓋板の挿通孔と天板の挿通孔が重なるようケース可変部を形態変化せしめたときは吊下げケースとなるよう構成したことを特徴とするパンフレット類用収容ケース。
【請求項２】
パンフレットやチラシ等の印刷物を複数収容できると共に、自立スタンドケースとして或いは吊下げケースとして或いはキャリングケースとして使用可能なパンフレット類用収容ケースであって、上辺部中央に切欠溝部が切設されている正面板と、この正面板の左右側端縁に折目線を介して夫々連設される左右側板と、この左右側板の後端縁に折目線を介して夫々連設される左右折返片と、正面板の下端縁に折目線を介して連設される底板と、この底板の後端縁に折目線を介して連設される背面下板とで印刷物を収容可能な上部が開放された略扁平ボックス状のケース基部を形成し、背面下板の上端縁に折目線を介して連設される背面上板と、背面上板の左右側端縁に折目線を介して夫々連設される左右折曲片と、背面上板の上端縁に折目線を介して連設される天板と、天板の前端縁に折目線を介して連設される蓋板とでケース可変部を形成し、蓋板の下部には、正面板の上部に設けた係止孔及び底板に設けた係止孔に夫々差込み・係止自在となるような差込片を設け、左右折曲片には、左右折返片夫々に設けた係止孔に差込み・係止自在となるような差込片を夫々設け、天板及び蓋板には、吊下げ用の一対の挿通孔を夫々穿設し、背面上板でケース基部の背面上部を覆うと共に、左右折曲片の差込片を左右折返片の係止孔に差込み・係止させ、天板でケース基部上端開口を覆い、蓋板で正面板の切欠溝部を覆って、蓋板の差込片を正面板の係止孔に差込み・係止するようケース可変部を形態変化せしめたときはキャリングケースとなり、背面上板を斜後方下向きに配すると共に、左右折曲片を背面上板に対して略直交するように折曲げ、天板及び蓋板を水平に配して、蓋板の差込片を底板の係止孔に差込み・係止するようケース可変部を形態変化せしめたときは自立スタンドケースとなり、背面上板でケース基部の背面上部を覆うと共に、左右折曲片の差込片を左右折返片の係止孔に差込み・係止させ、蓋板を折目線で折返して天板及び背面上板に重合せしめると共に蓋板の挿通孔と天板の挿通孔が重なるようケース可変部を形態変化せしめたときは吊下げケースとなるよう構成したことを特徴とするパンフレット類用収容ケース。
【考案の詳細な説明】
【技術分野】
【０００１】
本考案は、例えば、パンフレットやチラシやその他の適宜印刷物等を複数収容でき、しかも、その形態を変化させることにより、自立スタンドケースとして或いは吊下げケースとして或いはキャリングケースとして使用可能となるように工夫したパンフレット類用収容ケースに関するものである。
【背景技術】
【０００２】
従来、この種のパンフレット類用収容ケースとしては、例えば、特許文献１に示すようなパンフレット立てが提案されており、これは、両側に対向して直角に折り曲げた側面板を備えて傾斜する前面板と、中程に係止孔部が設けられ前面板に平行な背面板と、前面板の下部より背面板下端部の下側を通って折り曲げた水平な底面板とにより形成されるシート収納部と、該底面板より背面板の後部に折り立てた前記係止孔部に嵌入する係止板を備え両側に対向して直角に折り曲げた側面板を備えた後部支持板が前記背面板に係止され、前記前面板両端と側面板との下端部と前記後部支持板両端と側面板との下端部とに平面視的に直角折曲脚部を備えたものである。
【０００３】
【特許文献１】特開平８−３２４５５０号公報
【考案の開示】
【考案が解決しようとする課題】
【０００４】
ところが、前述の如きパンフレット立てにあっては、自立スタンドとしてしか利用できず、その設置環境に応じてパンフレットやチラシ等の印刷物を配置することができない難点があった。すなわち、印刷物が目立つように所望の位置に設置できるよう工夫されたものではなかった。
しかも、背面板が高く形成されているため、シート収納部の収納物が意外と取出し難い難点があった。
そこで、本考案は、前述の如き難点等を解消できるようにすると共に、構成が簡素で、組立て容易となり、量産に適し、低廉で、経済的となるようなパンフレット類用収容ケースを提供すべく案出されたものである。
【課題を解決するための手段】
【０００５】
しかして、前述の如き課題を達成すべく、請求項１記載のパンフレット類用収容ケースにあっては、パンフレットやチラシ等の印刷物を複数収容できると共に、自立スタンドケースとして或いは吊下げケースとして或いはキャリングケースとして使用可能なパンフレット類用収容ケースであって、上辺部中央に切欠溝部１５が切設されている正面板１と、この正面板１の左右側端縁に折目線を介して夫々連設される左右側板２、３と、正面板１の下端縁に折目線を介して連設される底板６と、この底板６の後端縁に折目線を介して連設される背面下板７とで印刷物を収容可能な上部が開放された略扁平ボックス状のケース基部Ａを形成し、背面下板７の上端縁に折目線を介して連設される背面上板８と、背面上板８の上端縁に折目線を介して連設される天板１１と、天板１１の前端縁に折目線を介して連設される蓋板１２とでケース可変部Ｂを形成し、蓋板１２の下部には、正面板１の上部に設けた係止孔１６及び底板６に設けた係止孔２１に夫々差込み・係止自在となるような差込片２９を設け、天板１１及び蓋板１２には、吊下げ用の挿通孔２７、２８を夫々穿設し、背面上板８でケース基部Ａの背面上部を覆うと共に、天板１１でケース基部Ａ上端開口を覆い、蓋板１２で正面板１の切欠溝部１５を覆って、蓋板１２の差込片２９を正面板１の係止孔１６に差込み・係止するようケース可変部Ｂを形態変化せしめたときはキャリングケースとなり、背面上板８を斜後方下向きに配すると共に、天板１１及び蓋板１２を水平に配して、蓋板１２の差込片２９を底板６の係止孔２１に差込み・係止するようケース可変部Ｂを形態変化せしめたときは自立スタンドケースとなり、背面上板８でケース基部Ａの背面上部を覆い、蓋板１２を折目線で折返して天板１１及び背面上板８に重合せしめると共に蓋板１２の挿通孔２８と天板１１の挿通孔２７が重なるようケース可変部Ｂを形態変化せしめたときは吊下げケースとなるよう構成する手段を採用した。
【０００６】
また、請求項２記載のパンフレット類用収容ケースにあっては、パンフレットやチラシ等の印刷物を複数収容できると共に、自立スタンドケースとして或いは吊下げケースとして或いはキャリングケースとして使用可能なパンフレット類用収容ケースであって、上辺部中央に切欠溝部１５が切設されている正面板１と、この正面板１の左右側端縁に折目線を介して夫々連設される左右側板２、３と、この左右側板２、３の後端縁に折目線を介して夫々連設される左右折返片４、５と、正面板１の下端縁に折目線を介して連設される底板６と、この底板６の後端縁に折目線を介して連設される背面下板７とで印刷物を収容可能な上部が開放された略扁平ボックス状のケース基部Ａを形成し、背面下板７の上端縁に折目線を介して連設される背面上板８と、背面上板８の左右側端縁に折目線を介して夫々連設される左右折曲片９、１０と、背面上板８の上端縁に折目線を介して連設される天板１１と、天板１１の前端縁に折目線を介して連設される蓋板１２とでケース可変部Ｂを形成し、蓋板１２の下部には、正面板１の上部に設けた係止孔１６及び底板６に設けた係止孔２１に夫々差込み・係止自在となるような差込片２９を設け、左右折曲片９、１０には、左右折返片４、５夫々に設けた係止孔１７、１９に差込み・係止自在となるような差込片２３、２５を夫々設け、天板１１及び蓋板１２には、吊下げ用の一対の挿通孔２７、２８を夫々穿設し、背面上板８でケース基部Ａの背面上部を覆うと共に、左右折曲片９、１０の差込片２３、２５を左右折返片４、５の係止孔１７、１９に差込み・係止させ、天板１１でケース基部Ａ上端開口を覆い、蓋板１２で正面板１の切欠溝部１５を覆って、蓋板１２の差込片２９を正面板１の係止孔１６に差込み・係止するようケース可変部Ｂを形態変化せしめたときはキャリングケースとなり、背面上板８を斜後方下向きに配すると共に、左右折曲片９、１０を背面上板８に対して略直交するように折曲げ、天板１１及び蓋板１２を水平に配して、蓋板１２の差込片２９を底板６の係止孔２１に差込み・係止するようケース可変部Ｂを形態変化せしめたときは自立スタンドケースとなり、背面上板８でケース基部Ａの背面上部を覆うと共に、左右折曲片９、１０の差込片２３、２５を左右折返片４、５の係止孔１７、１９に差込み・係止させ、蓋板１２を折目線で折返して天板１１及び背面上板８に重合せしめると共に蓋板１２の挿通孔２８と天板１１の挿通孔２７が重なるようケース可変部Ｂを形態変化せしめたときは吊下げケースとなるよう構成する手段を採用した。
【考案の効果】
【０００７】
従って、請求項１のパンフレット類用収容ケースによれば、ケース基部Ａにパンフレットやチラシ等の印刷物を複数収容できると共に、ケース可変部Ｂの形態を変化させることにより、自立スタンドケースとして或いは吊下げケースとして或いはキャリングケースとして使用することができるようになり、その設置環境に応じてパンフレットやチラシ等の印刷物を配置することができるようになる。すなわち、印刷物が目立つような所望の位置に簡単に設置できるようになり、更に、持ち歩いたりすることもでき、使い勝手の優れたものとなる。
しかも、その構成が簡素となり、組立てが容易で、量産に適し、低廉で、経済的なパンフレット類用収容ケースとなる。
特に、正面板１の切欠溝部１５と、背面下板７の上方が切欠状の空間となっていることから、ケース基部Ａに収容されている印刷物が取出し易いものとなる。
【０００８】
また、請求項２のパンフレット類用収容ケースによれば、ケース基部Ａにパンフレットやチラシ等の印刷物を複数収容できると共に、ケース可変部Ｂの形態を変化させることにより、自立スタンドケースとして或いは吊下げケースとして或いはキャリングケースとして使用することができるようになり、その設置環境に応じてパンフレットやチラシ等の印刷物を配置することができるようになる。すなわち、印刷物が目立つような所望の位置に簡単に設置できるようになり、更に、持ち歩いたりすることもでき、使い勝手の優れたものとなる。
しかも、その構成が簡素となり、組立てが容易で、量産に適し、低廉で、経済的なパンフレット類用収容ケースとなる。
特に、正面板１の切欠溝部１５と、背面下板７の上方が切欠状の空間となっていることから、ケース基部Ａに収容されている印刷物が取出し易いものとなる。
【０００９】
加えて、自立スタンドケースとするときに、背面上板８を斜後方下向きに配すると共に、左右折曲片９、１０を背面上板８に対して略直交するように折曲げ、天板１１及び蓋板１２を水平に配して、蓋板１２の差込片２９を底板６の係止孔２１に差込み・係止するようケース可変部Ｂを形態変化せしめるので、ケース可変部Ｂが堅牢で、変形し難くなり、ケース基部Ａをより安定的に支持できるようになる。
更に、キャリングケースとするときに、背面上板８でケース基部Ａの背面上部を覆うと共に、左右折曲片９、１０の差込片２３、２５を左右折返片４、５の係止孔１７、１９に差込み・係止させるので、背面上板８を簡単に且つ安定的にケース基部Ａの背面上部に装着できるようになる。
【考案を実施するための最良の形態】
【００１０】
以下、本考案を説明すると、次の通りである。
本考案のパンフレット類用収容ケースは、パンフレットやチラシやその他の適宜印刷物等を複数収容できると共に、その形態を変化させることにより、自立スタンドケースとして或いは吊下げケースとして或いはキャリングケースとして使用できるようにしたものである。
具体的には、上辺部中央に切欠溝部１５が切設されている正面板１と、この正面板１の左右側端縁に折目線を介して夫々連設される左右側板２、３と、正面板１の下端縁に折目線を介して連設される底板６と、この底板６の後端縁に折目線を介して連設される背面下板７とで印刷物を収容可能な上部が開放された略扁平ボックス状のケース基部Ａを形成する。
また、背面下板７の上端縁に折目線を介して連設される背面上板８と、背面上板８の上端縁に折目線を介して連設される天板１１と、天板１１の前端縁に折目線を介して連設される蓋板１２とでケース可変部Ｂを形成する。
更に、蓋板１２の下部には、正面板１の上部に設けた係止孔１６及び底板６に設けた係止孔２１に夫々差込み・係止自在となるような差込片２９を設け、天板１１及び蓋板１２には、吊下げ用の挿通孔２７、２８を夫々穿設してある。
そして、背面上板８でケース基部Ａの背面上部を覆うと共に、天板１１でケース基部Ａ上端開口を覆い、蓋板１２で正面板１の切欠溝部１５を覆って、蓋板１２の差込片２９を正面板１の係止孔１６に差込み・係止するようケース可変部Ｂを形態変化せしめたときはキャリングケースとなるよう形成されている。
それから、背面上板８を斜後方下向きに配すると共に、天板１１及び蓋板１２を水平に配して、蓋板１２の差込片２９を底板６の係止孔２１に差込み・係止するようケース可変部Ｂを形態変化せしめたときは自立スタンドケースとなるよう形成されている。
加えて、背面上板８でケース基部Ａの背面上部を覆い、蓋板１２を折目線で折返して天板１１及び背面上板８に重合せしめると共に蓋板１２の挿通孔２８と天板１１の挿通孔２７が重なるようケース可変部Ｂを形態変化せしめたときは吊下げケースとなるよう形成されている。
【００１１】
また、本考案の他のパンフレット類用収容ケースは、上辺部中央に切欠溝部１５が切設されている正面板１と、この正面板１の左右側端縁に折目線を介して夫々連設される左右側板２、３と、この左右側板２、３の後端縁に折目線を介して夫々連設される左右折返片４、５と、正面板１の下端縁に折目線を介して連設される底板６と、この底板６の後端縁に折目線を介して連設される背面下板７とで印刷物を収容可能な上部が開放された略扁平ボックス状のケース基部Ａを形成する。
更に、背面下板７の上端縁に折目線を介して連設される背面上板８と、背面上板８の左右側端縁に折目線を介して夫々連設される左右折曲片９、１０と、背面上板８の上端縁に折目線を介して連設される天板１１と、天板１１の前端縁に折目線を介して連設される蓋板１２とでケース可変部Ｂを形成する。
そして、蓋板１２の下部には、正面板１の上部に設けた係止孔１６及び底板６に設けた係止孔２１に夫々差込み・係止自在となるような差込片２９を設け、左右折曲片９、１０には、左右折返片４、５夫々に設けた係止孔１７、１９に差込み・係止自在となるような差込片２３、２５を夫々設け、天板１１及び蓋板１２には、吊下げ用の一対の挿通孔２７、２８を夫々穿設する。
それから、背面上板８でケース基部Ａの背面上部を覆うと共に、左右折曲片９、１０の差込片２３、２５を左右折返片４、５の係止孔１７、１９に差込み・係止させ、天板１１でケース基部Ａ上端開口を覆い、蓋板１２で正面板１の切欠溝部１５を覆って、蓋板１２の差込片２９を正面板１の係止孔１６に差込み・係止するようケース可変部Ｂを形態変化せしめたときはキャリングケースとなるよう形成する。
加えて、背面上板８を斜後方下向きに配すると共に、左右折曲片９、１０を背面上板８に対して略直交するように折曲げ、天板１１及び蓋板１２を水平に配して、蓋板１２の差込片２９を底板６の係止孔２１に差込み・係止するようケース可変部Ｂを形態変化せしめたときは自立スタンドケースとなるよう形成する。
更に、背面上板８でケース基部Ａの背面上部を覆うと共に、左右折曲片９、１０の差込片２３、２５を左右折返片４、５の係止孔１７、１９に差込み・係止させ、蓋板１２を折目線で折返して天板１１及び背面上板８に重合せしめると共に蓋板１２の挿通孔２８と天板１１の挿通孔２７が重なるようケース可変部Ｂを形態変化せしめたときは吊下げケースとなるよう形成する。
【実施例】
【００１２】
本考案のパンフレット類用収容ケースを図示例に沿って説明すると、このパンフレット類用収容ケースは、例えば、一枚の透明（或いは半透明、或いは一部透明、或いは不透明でも良い）な適宜合成樹脂製（例えば、ポリプロピレン）シート材から構成されるもので、具体的には、図１に示すように、略矩形状の正面板１と、この正面板１の左右側端縁に折目線を介して夫々連設される略縦長矩形状の左右側板２、３と、この左右側板２、３の後端縁に折目線を介して夫々連設される略縦長矩形状の左右折返片４、５と、左右側板２、３の下端縁に折目線を介して夫々連設される略矩形状の折込片１３、１４と、正面板１の下端縁に折目線を介して連設される略横長矩形状の底板６と、この底板６の後端縁に折目線を介して連設される略矩形状の背面下板７と、この背面下板７の上端縁中央部分に折目線を介して連設される略矩形状の背面上板８と、この背面上板８の左右側端縁に折目線を介して夫々連設される略台形状の左右折曲片９、１０と、背面上板８の上端縁に折目線を介して連設される略横長矩形状の天板１１と、この天板１１の前端縁に折目線を介して連設される略矩形状の蓋板１２とで構成されている。
しかも、正面板１と、左右側板２、３と、左右折返片４、５と、左右の折込片１３、１４と、底板６と、背面下板７とでケース基部Ａが構成されるようになり、また、背面上板８と、左右折曲片９、１０と、天板１１と、蓋板１２とでケース可変部Ｂが構成されるようになる。
【００１３】
そして、前記正面板１の上辺中央部分には、比較的大きな略逆台形状（或いは比較的小さな半円状や、その他の適宜形状・大きさに設定できる）の切欠溝部１５が切設され、更に、この切欠溝部１５の下端縁近傍（或いは離れていても良い）には、略横長長円状の係止孔１６が穿設されている。
【００１４】
前記左右折返片４、５は、その上部に略縦長長円状の係止孔１７、１９が夫々穿設され、その下部に略半円弧状の切込線によって形成される適数（例えば、二個）の略半円状の差込片１８、２０が夫々形成されている。尚、前記係止孔１７、１９は、略横長長円状に形成しても良いし、複数設けるようにしても良い。
【００１５】
前記底板６は、その中央部分に直線状の切込線によって形成される係止孔２１が設けられている。
【００１６】
前記背面下板７は、その左右側端縁寄りに、略縦長長円状の係止孔２２が適数（例えば、計四個）穿設されている。尚、この係止孔２２には、前記左右折返片４、５に設けた差込片１８、２０が夫々差込み・係止されるように形成してある。
【００１７】
前記左右折曲片９、１０は、その中央部分に略半円弧状の切込線によって形成される略半円状の差込片２３、２５が夫々形成され、その下端縁に係止突起２４、２６が夫々突設されている。尚、前記差込片２３、２５は、前記左右折返片４、５に設けた前記係止孔１７、１９に夫々対応して差込み・係止できるように設定される。
【００１８】
前記天板１１は、その左右に略円形状の挿通孔２７が夫々穿設されている。尚、この挿通孔２７には、パンフレット類用収容ケースを自立スタンドケースとしたときに、前記係止突起２４、２６が係脱自在に係止できるように形成されている。すなわち、左右折曲片９、１０を背面上板８に対して略直角に折り曲げてその強度及び剛性が高くなるようにしたときに、係止突起２４、２６が挿通孔２７に係止され、その折曲げ状態が確実に維持できるように形成されている。
【００１９】
前記蓋板１２は、その上端寄り左右に略円形状の挿通孔２８が夫々穿設され、下端寄り中央に略半円弧状の切込線によって形成される略半円状の差込片２９が形成されている。尚、挿通孔２８は、パンフレット類用収容ケースを吊下げケースとしたときに、前記天板１１の挿通孔２７に重なるように形成されており、これら挿通孔２８、２７に吊下げ紐Ｃ等が挿通できるように形成されている。また、差込片２９は、正面板１の係止孔１６や底板６の係止孔２１に差込み・係止自在となるように形成されている。
【００２０】
ところで、パンフレット類用収容ケースの具体的構成、形状、寸法、材質、ケース基部Ａの具体的構成、形状、寸法、材質、ケース可変部Ｂの具体的構成、形状、寸法、材質、正面板１の具体的構成、形状、寸法、材質、右側板２の具体的構成、形状、寸法、材質、左側板３の具体的構成、形状、寸法、材質、右折返片４の具体的構成、形状、寸法、材質、左折返片５の具体的構成、形状、寸法、材質、底板６の具体的構成、形状、寸法、材質、背面下板７の具体的構成、形状、寸法、材質、背面上板８の具体的構成、形状、寸法、材質、右折曲片９の具体的構成、形状、寸法、材質、左折曲片１０の具体的構成、形状、寸法、材質、天板１１の具体的構成、形状、寸法、材質、蓋板１２の具体的構成、形状、寸法、材質、折込片１３の具体的構成、形状、寸法、材質、折込片１４の具体的構成、形状、寸法、材質、切欠溝部１５の具体的構成、形状、寸法、配設位置、係止孔１６の具体的構成、形状、寸法、数、配設位置、係止孔１７、１９の具体的構成、形状、寸法、数、配設位置、差込片１８、２０の具体的構成、形状、寸法、数、配設位置、係止孔２１の具体的構成、形状、寸法、数、配設位置、係止孔２２の具体的構成、形状、寸法、数、配設位置、差込片２３、２５の具体的構成、形状、寸法、数、配設位置、係止突起２４、２６の具体的構成、形状、寸法、材質、配設位置、挿通孔２７の具体的構成、形状、寸法、数、配設位置、挿通孔２８の具体的構成、形状、寸法、数、配設位置、差込片２９の具体的構成、形状、寸法、数、配設位置等は、図示例のもの等に限定されることなく適宜自由に設定、変更できるものである。
尚、左右折返片４、５の係止孔１７、１９と左右折曲片９、１０の差込片２３、２５の関係は、これらを逆に配するようにしたり、或いは一部を逆に配するようにしても良い。また、左右折返片４、５の差込片１８、２０と背面下板７の係止孔２２の関係も、これらを逆に配するようにしたり、或いは一部を逆に配するようにしても良い。
【００２１】
本考案のパンフレット類用収容ケースは、前述の如く構成されており、これを使用する場合は、背面上板８でケース基部Ａの背面上部を覆うと共に、差込片２３、２５を係止孔１７、１９に差込み・係止させ、天板１１でケース基部Ａの上端開口を覆い、蓋板１２で正面板１の切欠溝部１５を覆うと共に、蓋板１２の差込片２９を正面板１の係止孔１６に差込み・係止するようにケース可変部Ｂを形態変化せしめてキャリングケースとして使用したり（図４参照）、或いは、背面上板８を斜後方下向きに配すると共に、天板１１及び蓋板１２を水平に配し、左右折曲片９、１０を背面上板８に対して略直角に折曲げると共に、係止突起２４、２６を天板１１の挿通孔２７に夫々係止させ、蓋板１２の差込片２９を底板６の係止孔２１に差込み・係止するようにケース可変部Ｂを形態変化せしめて自立スタンドケースとして使用したり（図２、図３参照）、或いは、背面上板８でケース基部Ａの背面上部を覆うと共に、差込片２３、２５を係止孔１７、１９に差込み・係止させ、蓋板１２を折目線で背面側に折返して天板１１及び背面上板８に重合せしめると共に、蓋板１２の挿通孔２８と天板１１の挿通孔２７が重なるようにケース可変部Ｂを形態変化せしめて、更に、挿通孔２７、２８に吊下げ紐Ｃを挿通して吊下げケースとして使用する（図５参照）ようになる。
【００２２】
加えて、パンフレット類用収容ケースを自立スタンドケースとして使用しているときや、吊下げケースとして使用しているときに、吊下げケース状態とした他のパンフレット類用収容ケースの蓋板１２を、正面板１の切欠溝部１５の下端縁部分に掛止させるように連結させても良い。しかも、これを順次行うようにして、複数のパンフレット類用収容ケースを上下方向に連なるよう連結せしめるようにしても良い。このとき、パンフレット類用収容ケースは同じ大きさに揃えても良いし、小さくても良い。
【００２３】
尚、本考案のパンフレット類用収容ケースのケース基部Ａに複数収容される適宜印刷物等は、パンフレットやチラシの他に、小冊子やカタログやはがきや卓上カレンダー等でも良い。
【図面の簡単な説明】
【００２４】
【図１】本考案のパンフレット類用収容ケースを例示する展開図である。
【図２】本考案のパンフレット類用収容ケースを例示する斜視図である。
【図３】本考案のパンフレット類用収容ケースを例示する縦断側面図である。
【図４】本考案のパンフレット類用収容ケース他の使用例を示す斜視図である。
【図５】本考案のパンフレット類用収容ケース他の使用例を示す斜視図である。
【符号の説明】
【００２５】
Ａ      ケース基部
Ｂ      ケース可変部
１      正面板
２      右側板
３      左側板
４      右折返片
５      左折返片
６      底板
７      背面下板
８      背面上板
９      右折曲片
１０    左折曲片
１１    天板
１２    蓋板
１３    折込片
１４    折込片
１５    切欠溝部
１６    係止孔
１７    係止孔
１８    差込片
１９    係止孔
２０    差込片
２１    係止孔
２２    係止孔
２３    差込片
２４    係止突起
２５    差込片
２６    係止突起
２７    挿通孔
２８    挿通孔
２９    差込片
Ｃ      吊下げ紐
【図１】
0003130881.tif 000003
【図２】
0003130881.tif 000004
【図３】
0003130881.tif 000005
【図４】
0003130881.tif 000006
【図５】
0003130881.tif 000007